【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
車両のウインドウの周縁部に沿って配設可能なシェード装置であって、
前記ウインドウを遮蔽可能なシェードと、
前記シェードを巻取る巻取シャフトと、前記巻取シャフトを前記シェードを巻取る方向に付勢する付勢部材とを有する巻取装置と、
前記巻取装置を収容する、樹脂によって形成されたケースと、
を備え、
前記ケースは、一体成型された筒形状のケース本体部が前記巻取シャフトの長手方向に沿った複数の分割線で複数のケース分割部に分割されると共に、前記複数のケース分割部が、前記複数の分割線のうち一つを除く前記分割線でヒンジによりそれぞれ連結された構成とされ、
前記分割線で前記ヒンジにより連結されていない前記複数のケース分割部の間には、前記シェードを引出収納可能なスリットが形成され、
前記複数のケース分割部の少なくとも１つが、前記ウインドウの周縁部に配設される部分に固定されているシェード装置。
【請求項２】
請求項１記載のシェード装置であって、
前記ケースは、前記複数のケース分割部として一対の半筒部を含み、前記一対の半筒部は、前記分割線としての前記一対の半筒部の前記巻取シャフトに沿った一側部で前記ヒンジにより開閉自在に連結されており、前記一対の半筒部が閉じられた状態で、前記巻取装置を収容可能な筒形状の前記ケース本体部が形成されると共に、前記一対の半筒部の前記巻取シャフトに沿った他側部の間に前記スリットが形成される、シェード装置。
【請求項３】
請求項１又は請求項２に記載のシェード装置であって、
前記複数のケース分割部のうちの１つに前記巻取装置が取付けられ、
前記複数のケース分割部のうちの他の１つに、前記ウインドウの周縁部に配設される部分への固定のための固定用孔が形成されている、シェード装置。
【請求項４】
請求項１〜請求項３のいずれか１つに記載のシェード装置であって、
前記複数のケース分割部のうち前記スリットを挟む対向部分の少なくとも一方に、前記ケース本体部の外方に延出して前記ウインドウの周縁部に露出する延出部が設けられている、シェード装置。
【請求項５】
請求項１〜請求項４のいずれか１つに記載のシェード装置であって、
前記複数のケース分割部のうち前記スリットを挟む対向部分の両方に、前記ケース本体部の外方に延出して前記ウインドウの周縁部に露出する一対の延出部が設けられている、シェード装置。
【請求項６】
請求項５記載のシェード装置であって、
前記複数のケース分割部のうち前記スリットを挟む対向部分の両方に形成された前記一対の延出部に、前記複数のケース分割部を筒形状に保つロック部及び被ロック部が形成されている、シェード装置。
【請求項７】
請求項１〜請求項６のいずれか１つに記載のシェード装置であって、
前記複数のケース分割部のうちの１つに、前記巻取装置の両端部を支持する一対の巻取装置支持部が設けられ、前記一対の巻取装置支持部の少なくとも一方が前記複数のケース分割部のうちの前記１つに一体成型されている、シェード装置。
【請求項８】
車体に対して車室内側に取付可能な内装部材と、
前記内装部材に取付けられた請求項１〜請求項７のいずれか１つに記載のシェード装置と、
を備えるシェード装置付内装部材。
【手続補正２】
【補正対象書類名】明細書
【補正対象項目名】０００７
【補正方法】変更
【補正の内容】
【０００７】
上記課題を解決するため、第１の態様は、車両のウインドウの周縁部に沿って配設可能なシェード装置であって、前記ウインドウを遮蔽可能なシェードと、前記シェードを巻取る巻取シャフトと、前記巻取シャフトを前記シェードを巻取る方向に付勢する付勢部材とを有する巻取装置と、前記巻取装置を収容する、樹脂によって形成されたケースと、を備え、前記ケースは、一体成型された筒形状のケース本体部が前記巻取シャフトの長手方向に沿った複数の分割線で複数のケース分割部に分割されると共に、前記複数のケース分割部が、前記複数の分割線のうち一つを除く前記分割線でヒンジによりそれぞれ連結された構成とされ、前記分割線で前記ヒンジにより連結されていない前記複数のケース分割部の間には、前記シェードを引出収納可能なスリットが形成され、前記複数のケース分割部の少なくとも１つが、前記ウインドウの周縁部に配設される部分に固定されているものである。
【手続補正３】
【補正対象書類名】明細書
【補正対象項目名】０００８
【補正方法】変更
【補正の内容】
【０００８】
第２の態様は、第１の態様に係るシェード装置であって、前記ケースは、前記複数のケース分割部として一対の半筒部を含み、前記一対の半筒部は、前記分割線としての前記一対の半筒部の前記巻取シャフトに沿った一側部で前記ヒンジにより開閉自在に連結されており、前記一対の半筒部が閉じられた状態で、前記巻取装置を収容可能な筒形状の前記ケース本体部が形成されると共に、前記一対の半筒部の前記巻取シャフトに沿った他側部の間に前記スリットが形成されるものである。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
第３の態様は、第１又は第２の態様に係るシェード装置であって、前記複数のケース分割部のうちの１つに前記巻取装置が取付けられ、前記複数のケース分割部のうちの他の１つに、前記ウインドウの周縁部に配設される部分への固定のための固定用孔が形成されているものである。
【手続補正６】
【補正対象書類名】明細書
【補正対象項目名】００１１
【補正方法】変更
【補正の内容】
【００１１】
第４の態様は、第１〜第３のいずれか１つの態様に係るシェード装置であって、前記複数のケース分割部のうち前記スリットを挟む対向部分の少なくとも一方に、前記ケース本体部の外方に延出して前記ウインドウの周縁部に露出する延出部が設けられているものである。
【手続補正７】
【補正対象書類名】明細書
【補正対象項目名】００１２
【補正方法】変更
【補正の内容】
【００１２】
第５の態様は、第１〜第４のいずれか１つの態様に係るシェード装置であって、前記複数のケース分割部のうち前記スリットを挟む対向部分の両方に、前記ケース本体部の外方に延出して前記ウインドウの周縁部に露出する一対の延出部が設けられているものである。
【手続補正８】
【補正対象書類名】明細書
【補正対象項目名】００１３
【補正方法】変更
【補正の内容】
【００１３】
第６の態様は、第５の態様に係るシェード装置であって、前記複数のケース分割部のうち前記スリットを挟む対向部分の両方に形成された前記一対の延出部に、前記複数のケース分割部を筒形状に保つロック部及び被ロック部が形成されているものである。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
第７の態様は、第１〜第６のいずれか１つの態様に係るシェード装置であって、前記複数のケース分割部のうちの１つに、前記巻取装置の両端部を支持する一対の巻取装置支持部が設けられ、前記一対の巻取装置支持部の少なくとも一方が前記複数のケース分割部のうちの前記１つに一体成型されているものである。
【手続補正１２】
【補正対象書類名】明細書
【補正対象項目名】００１７
【補正方法】変更
【補正の内容】
【００１７】
第８の態様に係るシェード装置付内装部材は、車体に対して車室内側に取付可能な内装部材と、前記内装部材に取付けられた第１〜第７のいずれか１つに記載のシェード装置とを備える。
【手続補正１３】
【補正対象書類名】明細書
【補正対象項目名】００１８
【補正方法】変更
【補正の内容】
【００１８】
第１の態様に係るシェード装置によると、ヒンジ部を介して複数のケース分割部を開いた形状等とすることで、当該ケース本体部を射出成型等で成形することができる。この際、ケース本体部を形成する際の形状制約を少なくすることができ、本シェード装置を内装部材等に取付けるための部分も容易に形成することができる。これにより、シェード装置を容易に製造できる。
【手続補正１４】
【補正対象書類名】明細書
【補正対象項目名】００２０
【補正方法】変更
【補正の内容】
【００２０】
第１の態様によると、前記複数のケース分割部の少なくとも１つがウインドウの周縁部に配設される部分に固定されるため、ケースの剛性を補強することができる。
【手続補正１５】
【補正対象書類名】明細書
【補正対象項目名】００２１
【補正方法】変更
【補正の内容】
【００２１】
第３の態様によると、前記複数のケース分割部のうちの１つに前記巻取装置が取付けられているため、複数のケース分割部を筒形状に形成する前の状態で、前記複数のケース分割部のうちの他の１つを、前記固定用孔を通じて前記ウインドウの周縁部に配設される部分に強固に固定することができる。
【手続補正１６】
【補正対象書類名】明細書
【補正対象項目名】００２２
【補正方法】変更
【補正の内容】
【００２２】
第４の態様によると、前記複数のケース分割部のうち前記スリットを挟む対向部分の少なくとも一方に、前記ケース本体部の外方に延出して前記ウインドウの周縁部に露出する延出部が設けられているため、シェードが引出される部分に、意匠上の目的等で別途別部品を設ける箇所を少なくできる。
【手続補正１７】
【補正対象書類名】明細書
【補正対象項目名】００２３
【補正方法】変更
【補正の内容】
【００２３】
第５の態様によると、前記複数のケース分割部のうち前記スリットを挟む対向部分の両方に、前記ケース本体部の外方に延出して前記ウインドウの周縁部に露出する一対の延出部が設けられているため、シェードが引出される部分に、意匠上の目的等で別途別部品を設ける箇所を少なくできる。
【手続補正１８】
【補正対象書類名】明細書
【補正対象項目名】００２４
【補正方法】変更
【補正の内容】
【００２４】
第６の態様によると、ロック部及び被ロック部によって、前記複数のケース分割部を容易に筒形状に保つことができる。
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】変更
【補正の内容】
【００２７】
第７の態様によると、ヒンジ部を介して複数のケース分割部を開いた形状等とすることで、当該ケース本体部を射出成型等で成形する際に、前記一対の巻取装置支持部の少なくとも一方を前記複数のケース分割部のうちの前記１つに一体成型することができる。これにより、部品点数の削減が可能となる。
【手続補正２２】
【補正対象書類名】明細書
【補正対象項目名】００２８
【補正方法】変更
【補正の内容】
【００２８】
第８の態様によると、シェード装置と内装部材とを一体的に車体に取付けることができ、それらの車体への組付作業を容易に行える。また、内装部材にシェード装置を取付けることで、互いの剛性が補い合われ、シェード装置付内装部材全体の剛性を向上させることができる。